(57)【要約】【課題】下面パネルへのボトムカバーの取付けに際して、係合部分が吊り戸棚の外底面に露出しないように固定する。【解決手段】下面パネル２０は、前後の端部から下方に延在する桟材２４,２４を夫々形成すると共に、各桟材２４の内側面から他方の桟材２４に向けて突設した第１係止凸部２６を複数備える。また、ボトムカバー４０は、前後の端部から上方に折曲形成したフランジ部４４,４４に係合溝４６を、各第１係止凸部２６の夫々に対応的に開設してある。第１係止凸部２６を係合溝４６に挿入して第１係止凸部２６とフランジ４４とを係合することで、これら係合部分を下面パネル２０に対してボトムカバー４０を固定して下面パネル２０の下面をボトムカバー４０で覆う。【選択図】図６
2006223381.tif 000002
【特許請求の範囲】
【請求項１】
天井面をなす上面パネル(12)と、この上面パネル(12)と対向する下面パネル(20)と、左右一組の側面パネル(14,14)とからなり、これらパネル(12,14,14,20)により画成される収納空間(S)における少なくとも前側の開口部(S1)を開閉自在に閉成する扉(D,D)を備えた吊り戸棚において、
前記下面パネル(20)の下面側に設けた複数の係止部(26,30)と、
前記各係止部(26,30)に係合可能な被係止部(46,50)を上面側に対応的に設けたボトムカバー(40)とを備え、
前記各係止部(26,30)を対応の被係止部(46,50)に係合させることで、これら係止部(26,30)および被係止部(46,50)による係合部位を隠した状態で、前記下面パネル(20)の下面にボトムカバー(40)を取付け得るよう構成した
ことを特徴とする吊り戸棚。
【請求項２】
前記下面パネル(20)における前後の端部から下方に延出する桟材(24,24)の夫々に横方向に所要間隔で複数配置され、その内側面から他方の桟材(24)に向けて係止部(26)を突設し、前記ボトムカバー(40)における前後の端部から上方に向けて形成したフランジ部(44,44)の夫々に、該フランジ部(44)の上端に一端が開放する略Ｌ字状の被係止部を形成する係合溝(46)を各係止部(26)に対応するよう開設し、各係止部(26)を対応する各係合溝(46)に挿入した後、前記ボトムカバー(40)を所定方向にスライドして係止部(26)をフランジ部(44,44)に係合することで、前記下面パネル(20)の下面にボトムカバー(40)を取付けるようにした請求項１記載の吊り戸棚。
【請求項３】
前記下面パネル(20)の下面に係止部としての第２係止部(30)を複数突設すると共に、前記ボトムカバー(40)の上面に、前記第２係止部(30)に対応して被係止部を形成する係合孔(50)が開設されたボトムフレーム(48)を配設し、該係合孔(50)を介してボトムフレーム(48)に第２係止部(30)が係合するようにした請求項１または２記載の吊り戸棚。
【請求項４】
天井面をなす上面パネル(12)と、この上面パネル(12)と対向する下面パネル(60)と、左右一組の側面パネル(14,14)と、これらパネル(12,14,14,60)により画成される収納空間(S)の後側を塞ぐ後面パネル(58)とからなり、前記収納空間(S)における前側の開口部(S1)を開閉自在に閉成する扉(D,D)を備えた吊り戸棚において、
前記下面パネル(60)の前端部に沿って下方へ延出し、その内側面に所要間隔で複数のスリット(64)を開設した前側桟材(62)と、
前記下面パネル(60)の後端部に沿って下方へ延出する後側桟材(66)と、
前端部および後端部に上方へ向けて形成した立上がり部(72,74)を有し、前側の立上がり部(72)に前記各スリット(64)へ対応的に挿入可能な突出片(72a)を形成したボトムカバー(70)とからなり、
前側桟材(62)の各スリット(64)に前側の立上がり部(72)の突出片(72a)を対応的に後側から挿入すると共に、前記下面パネル(60)の後側桟材(66)と後側の立上がり部(74)とを固定部材(16)で締着することで、該下面パネル(60)の下面にボトムカバー(70)を取付けるよう構成した
ことを特徴とする吊り戸棚。
【発明の詳細な説明】
【技術分野】
【０００１】
この発明は、複数のパネルを箱状に組合わせて内部に収納空間を画成し、前側または前側および後側の両方に扉を開閉自在に設けた吊り戸棚に関するものである。
【背景技術】
【０００２】
例えば、ホテルやレストラン等の厨房において、テーブルの上方に設置され、食品や飲料品または食器等の物品を保存する吊り戸棚としては、複数のパネルを箱状に連結したものがある(例えば、特許文献１参照)。この吊り戸棚は、吊り戸棚本体の底面をなす下面パネルに、照明ボックスと、レンジフードからの熱影響を防止するための不燃材とが夫々ネジで固定されている。また、前記下面パネルの見栄えの向上を図るため、化粧材としてのボトムカバーが配設されることもあるが、該ボトムカバーも下面パネルに対してネジで固定される。
【特許文献１】特開平９−８４６４１号公報
【発明の開示】
【発明が解決しようとする課題】
【０００３】
ところで、前記吊り戸棚は、照明ボックスやボトムカバーを下面パネルに対して下方からネジを用いて固定しているので、意匠面である外底面にネジが露出してしまい、見栄えを損う難点が指摘される。またネジの凹凸部分は、清掃がし難くほこり等が溜りやすいため、食品を扱うテーブルの上方に設置される吊り戸棚としては不都合があった。そこで、ネジの上に別の化粧材を接着して２重構造にすることで、前記問題の解決を図っているが、手間がかかる上にコストの上昇を招く。なお、化粧材を接着する場合は、接着剤の劣化により経時的に化粧材が剥がれることがある。
【０００４】
すなわちこの発明は、従来の技術に係る吊り戸棚に内在する前記問題に鑑み、これらを好適に解決するべく提案されたものであって、下面パネルにボトムカバーを取付ける係止部が外底面側に露出して見栄えを損うことのない吊り戸棚を提供することを目的とする。
【課題を解決するための手段】
【０００５】
前記課題を克服し、所期の目的を達成するため、本発明に係る吊り戸棚は、
天井面をなす上面パネルと、この上面パネルと対向する下面パネルと、左右一組の側面パネルとからなり、これらパネルにより画成される収納空間における少なくとも前側の開口部を開閉自在に閉成する扉を備えた吊り戸棚において、
前記下面パネルの下面側に設けた複数の係止部と、
前記各係止部に係合可能な被係止部を上面側に対応的に設けたボトムカバーとを備え、
前記各係止部を対応の被係止部に係合させることで、これら係止部および被係止部による係合部位を隠した状態で、前記下面パネルの下面にボトムカバーを取付け得るよう構成したことを特徴とする。
【０００６】
前記課題を克服し、所期の目的を達成するため、本願の別の発明に係る吊り戸棚は、
天井面をなす上面パネルと、この上面パネルと対向する下面パネルと、左右一組の側面パネルと、これらパネルにより画成される収納空間の後側を塞ぐ後面パネルとからなり、前記収納空間における前側の開口部を開閉自在に閉成する扉を備えた吊り戸棚において、
前記下面パネルの前端部に沿って下方へ延出し、その内側面に所要間隔で複数のスリットを開設した前側桟材と、
前記下面パネルの後端部に沿って下方へ延出する後側桟材と、
前端部および後端部に上方へ向けて形成した立上がり部を有し、前側の立上がり部に前記各スリットへ対応的に挿入可能な突出片を形成したボトムカバーとからなり、
前側桟材の各スリットに前側の立上がり部の突出片を対応的に後側から挿入すると共に、前記下面パネルの後側桟材と後側の立上がり部とを固定部材で締着することで、該下面パネルの下面にボトムカバーを取付けるよう構成したことを特徴とする。
【発明の効果】
【０００７】
本願の請求項１に係る発明によれば、下面パネルの下面側に設けた各係止部を、ボトムカバーの上面に設けた対応する被係止部に夫々係合して、これら係止部および被係止部による係合部位を隠した状態で、下面パネルの下面にボトムカバーを取付けるよう構成したから、吊り戸棚の外底面には係合部位が露出しないので、該外底面は良好な見栄えを示すと共に、清掃が容易になって好適に衛生状態を保つことができる。また下面パネルとボトムカバーとを機械的に取付けるから、ボトムカバーが経時的に脱落することはない。
【０００８】
請求項２の発明によれば、下面パネルに設けた係止部にボトムカバーに開設した係合溝を係合することで下面パネルの下面にボトムカバーを取付けるよう構成したから、吊り戸棚の外底面にはネジ等の固定部材や溶接痕等が露出しないので、該外底面は良好な見栄えを示すと共に、清掃が容易になって好適に衛生状態を保つことができる。また下面パネルとボトムカバーとを機械的に取付けるから、ボトムカバーが経時的に脱落することはない。更に、請求項３の発明によれば、下面パネルの下面に下方に突出する複数の第２係止部に、ボトムカバーの上面に配設したボトムフレームに開設した係合孔を係合するよう構成することで、ボトムカバーの撓みを抑制し、戸棚底部の強度を高めることができる。
【０００９】
請求項３の発明によれば、下面パネルの前側桟材に設けたスリットにボトムカバーの前端に設けた突出片を挿入すると共に、下面パネルの後側桟材とボトムカバーにおける後側の立上がり部とを固定部材で締着することで、下面パネルの下面にボトムカバーを取付けるよう構成したから、吊り戸棚の外底面にはネジ等の固定部材や溶接痕等が露出することがなく、該外底面は良好な見栄えを示すと共に、清掃が容易になって好適に衛生状態を保つことができる。また下面パネルとボトムカバーとを機械的に取付けるから、ボトムカバーが経時的に脱落することはない。
【発明を実施するための最良の形態】
【００１０】
次に、本発明に係る吊り戸棚につき、好適な実施例を挙げて、添付図面を参照して以下に説明する。なお、実施例の吊り戸棚において、図１のＡ矢視を前側とし、向かい合う側面パネルの対向方向を横方向とする。ここで、本発明で云うボトムカバーとは、下面パネルの見栄えを向上する化粧材に限られず、照明ボックスや不燃材等の下面パネルの下面を覆って取付けられるものも含まれる。
【実施例１】
【００１１】
図１は、実施例１に係る吊り戸棚を示す概略斜視図であって、この吊り戸棚１０は天井面をなす上面パネル１２と、この上面パネル１２と対向するよう配置されて底面をなす下面パネル２０と、上面パネル１２および下面パネル２０を連結して、左右の各側面をなす一組の側面パネル１４,１４とから基本的に構成され、これらのパネル１２,１４,１４,２０によって前後の両側に開口部Ｓ１,Ｓ１が夫々開放した収納空間Ｓが画成されている。各側面パネル１４は、その上端部を上面パネル１２の側端部に突合わせて、側方からネジ(固定部材)１６により複数箇所で互いに固定し、下端部を下面パネル２０の側端部に突合わせて同様にネジ１６で互いに固定することで箱状に組付けられている。また、前記吊り戸棚１０における前記収納空間Ｓの前後に夫々臨む開口部Ｓ１,Ｓ２は、一対のスライド扉(扉)Ｄ,Ｄにより開閉自在に夫々閉成され、吊り戸棚１０の前側または後側のどちらからでも、収納空間Ｓに対し物品を出し入れし得るようになっている。なお、前記各側面パネル１４は、サイドフレーム１５ａとサイドカバー１５ｂとからなり、サイドフレーム１５ａと下面パネル２０とをネジ１６で固定した後、側方からサイドカバー１５ｂで覆うように構成される。ここで、各部材を連結するものとしてはネジ１６だけでなく、リベットやその他の固定部材を採用し得る。
【００１２】
前記各パネル１２,１４,１４,２０は、金属や樹脂等の板材からなり、前記収納空間Ｓの開口部Ｓ１,Ｓ１を画成する上面パネル１２の下面における前端部および後端部には、横方向に延在する上ガイド溝(図示せず)が夫々凹設されている。また、前記収納空間Ｓの開口部Ｓ１,Ｓ１を画成する下面パネル２０の上面における前端部および後端部には、前記上面パネル１２の各上ガイド溝に対応して横方向に延在する下ガイド溝２０ａが夫々凹設されている。すなわち、前記一対のスライド扉Ｄ,Ｄは、その上端が前記上面パネル１２における前側または後側の上ガイド溝にスライド自在に保持されると共に、その下端が下面パネル２０における前側または後側のガイド溝２０ａにスライド自在に保持されて、前側または後側の開口部Ｓ１を開閉自在に閉成するようになっている。
【００１３】
また、前記下面パネル２０の下面には、該下面パネル２０の下面を覆って、吊り戸棚１０の外底面を構成するボトムカバー４０が取付けられている(図２〜図４参照)。この下面パネル２０とボトムカバー４０との取付け構造は、下面パネル２０に設けた複数の係止凸部(係止部)２６,３０を、ボトムカバー４０に設けた係合溝４６,５０に対応的に挿入することで、後述するフランジ部４４,４４またはボトムフレーム４８に係合させて固定する構成であって、ネジ等の固定部材を使用しないものとなっている(図６参照)。すなわち、前記各フランジ部４４において係合溝４６で形成した縁辺部分またはボトムフレーム４８において係合孔５０で形成した縁辺部分が、係止部である係止凸部２６,３０に係合する被係止部として機能する。また、前記各係止凸部２６,３０を対応の係合溝４６または係合孔５０に挿入して固定することで、これら係合部位を隠した状態で下面パネル２０の下面にボトムカバー４０を取付け得るように構成される。なお、下面パネル２０とボトムカバー４０との間には、発泡スチロール等のクッション材３４,３４がボトムフレーム４８を挟んで介挿されて、補強が図られている。
【００１４】
前記下面パネル２０は、略矩形状の板状体を本体２２として、その前端部および後端部に下ガイド溝２０ａ,２０ａが横方向に延在して夫々凹設され、前後のガイド溝２０ａ,２０ａに挟まれた平面部分が収納空間Ｓにおける載置面となる。前記本体２２は、その前端部および後端部に横方向の略全長に亘って、下方に向けて延出する桟材２４,２４が夫々一体的に夫々折曲形成され、下面パネル２０における前後の端部を補強している。実施例の桟材２４は、本体２２の前端部または後端部が下方に向けて直角に折曲された後、他方の桟材２４に向けて直角に折曲され、更に先端部が本体２２の底面に指向して上方へ直角に折曲した鉤状の断面形状となるように形成されている(図４参照)。すなわち、各桟材２４の外側面が下面パネル２０の前後の外側面を構成すると共に、該桟材２４の底面がボトムカバー４０と整合して吊り戸棚１０の外底面を構成する。また、各桟材２４の内側面(他方の桟材２４に向く面)には、向い合った他方の桟材２４における内側面に向けて突出する係止部としての第１係止凸部２６が、横方向に所要間隔離間して複数(実施例では４つ)配設されている。
【００１５】
前記本体２２の左右の側端部には、下方に向けて直角に折曲された折曲部２２ａ,２２ａが夫々形成されると共に、各折曲部２２ａに沿わせて、前後方向に延在する縦補強部材３２が夫々配設されている。この縦補強部材３２は、横方向で破断した際の断面形状が上方に開口する略コ字状の部材であって(図３参照)、下面パネル２０の左右の端部の補強材として機能すると共に、前記本体２２の折曲部２２ａと縦補強部材３２との重合部分にネジ孔１８が適宜開設され、このネジ孔１８に対しネジ１６を螺挿することで側面パネル１４のサイドフレーム１５ａを下面パネル２０に固定するよう構成されている。また前記本体２２の下面には、断面において上方に開口するコ字状のフレーム２８が、前後方向の略中間に、本体２２の各側端部に対応的に配設した縦補強部材３２,３２の間に亘って横方向に延在するように配設され、下面パネル２０の載置部分である本体２２の中央付近の荷重を受ける補強材として機能している(図６参照)。また、前記フレーム２８は、その開放端を前記本体２２の底面に向けて配設され、その下面における中央部には下方に向けて突出する複数の第２係止凸部(第２係止部)３０が横方向に所要間隔離間して配置されている。また各縦補強部材３２における外側面側の下角部３２ａは凹設されて、図３に示す如く、前記ボトムカバー４０の後述する縦フランジ部５２および側面パネル１４における下端部に形成された凸部１４ａが係合するよう構成される。前記下角部３２ａと縦フランジ部５２との間には、所要の隙間Ｂが画成され、下面パネル２０に設けた複数の係止凸部２６,３０をボトムカバー４０に設けた係合溝４６,５０に対応的に挿入する際に、下面パネル２０に対してボトムカバー４０をスライド移動し得る余地を設けてある。
【００１６】
前記第１係止凸部２６および第２係止凸部３０は、同一の構成である。すなわち、前記第１係止凸部２６および第２係止凸部３０は、図７に示す如く、先端部が拡開したカラー部材２７を本体として、このカラー部材２７に開設した貫通孔２７ａを介して設置基体である桟材２４またはフレーム２８に開口した孔部２４ａ,２８ａにネジ１６で締着することで固定されている。前記カラー部材２７は、桟材２４またはフレーム２８に当接する根元部分と比較して先端部が傘状に張り出し形成された略円錐体であって、その軸方向に沿って貫通孔２７ａが開設されている。すなわちカラー部材２７は、前記ネジ１６で桟材２４またはフレーム２８に取付けた際に、その小径部分は、後述する係合溝４６または係合孔５０を挿通すると共に、大径部分と桟材２４またはフレーム２８との間に所定の隙間が画成され、この隙間にボトムカバー４０の後述するフランジ部４４やボトムフレーム４８が係合するようになっている。
【００１７】
図５に示すように、前記下面パネル２０の下面を覆うボトムカバー４０は、略矩形の板状体である平板部４２と、この平板部４２の前端部および後端部から上方に向けて夫々突出するフランジ部４４,４４と、平板部４２の上面に配設されたボトムフレーム４８とから構成されている。前記フランジ部４４,４４は、平板部４２の前端部および後端部を上方へ向けて直角に折曲することで、横方向の略全長に亘って夫々形成され、両フランジ部４４,４４の離間幅は、前記下面パネル２０に設けた両桟材２４,２４における内側面の離間幅と略同一に設定される。また、各フランジ部４４には、対応する桟材２４の内側面に突設した複数の第１係止凸部２６に応じて複数(実施例では４箇所)の係合溝４６が開設されている。すなわち、隣り合う係合溝４６,４６の離間間隔は、対応する第１係止凸部２６,２６の離間間隔と略同一に設定され、前後に対向する係合溝４６,４６は対称となっている。前記係合溝４６は、フランジ部４４の上端に一端が開放し、鉛直方向に開設した鉛直溝部４６ａと、この鉛直溝部４６ａの他端に接続して横方向に延在する水平溝部４６ｂとからなる略Ｌ字状に形成され、鉛直溝部４６ａは前記第１係止凸部２６の大径部分より大きく開口するよう設定されると共に、水平溝部４６ｂは第１係止凸部２６の小径部分の挿通を許容し、かつ大径部分は挿通しない幅に設定される。そして、前記下面パネル２０の各第１係止凸部２６が、前記対応する係合溝４６における鉛直溝部４６ａの開放端から挿入された状態で、ボトムカバー４０を水平方向へスライドさせて第１係止凸部２６が水平溝部４６ｂの閉塞端に位置して係合することで、下面パネル２０にボトムカバー４０が取付けられて一体的に吊り戸棚１０の外底面をなすように構成される。
【００１８】
前記ボトムフレーム４８は、前後方向で破断した断面形状が下方に開口するコ字状の部材であって、その開放端を下方に向けてボトムカバー４０の上面に配設され、該ボトムカバー４０における前後方向の略中間に位置して横方向に延在している。前記ボトムフレーム４８の上面には、前記フレーム２８に突設した各第２係止凸部３０に対応して、複数(実施例では４箇所)の係合孔５０が開設されている。各係合孔５０は、その開口形状が横方向に沿って大径孔部５０ａと小径孔部５０ｂとを組合わせた所謂だるま形状に形成され、該大径孔部５０ａが前記係合溝４６における鉛直溝部４６ａの開放端側に位置するように設定されている。また各係合孔５０は、その大径孔部５０ａが前記第２係止凸部３０における大径部分の挿通を許容し得る寸法に設定されると共に、小径孔部５０ｂが第２係止凸部３０の大径部分より小径であり、該第２係止凸部３０における小径部分の挿通を許容し得る寸法に設定される。そして、前記ボトムカバー４０を下面パネル２０に取付けるに際し、各係合孔５０は前記第１係止凸部２６が係合溝４６における鉛直溝部４６ａの開放端に臨んだときに、大径孔部５０ａが第２係止凸部３０に臨むように配置されると共に、第１係止凸部２６が係合溝４６における水平溝部４６ｂの閉塞端の位置した際に、第２係止凸部３０が小径孔部５０ｂに位置するように形成される。
【００１９】
前記ボトムカバー４０の各側端部には、上方に向けて延出するように縦フランジ部５２が折曲形成され、該ボトムカバー４０を下面パネル２０に取付た際に、各側端部が対応する縦補強部材３２を覆うと共に、縦フランジ部５２が該縦補強部材３２の凹設した下角部３２ａに係合される(図３参照)。各縦フランジ部５２は、その途中から横方向外側に水平に突出する突片５２ａを備え、この突片５２ａが前記側面パネル１４における凸部１４ａの上面に位置するようになっている。すなわち、前記ボトムカバー４０を下面パネル２０に取付けた際に、ボトムカバー４０は、第１係止凸部２６および係合溝４６と、第２係止凸部３０および係合孔５０との係合構造で夫々支持されると共に、両側面パネル１４,１４の凸部１４ａ,１４ａの縁辺で突片５２ａ,５２ａが支持されている。
【００２０】
〔実施例１の作用〕
次に、実施例１に係る吊り戸棚の作用について説明する。前記下面パネル２０に対してボトムカバー４０を取付ける際には、ボトムカバー４０を下面パネル２０おける両桟材２４,２４の間に位置させ、下面パネル２０の各第１係止凸部２６に対してボトムカバー４０における対応する係合溝４６の鉛直溝部４６ａが臨むと共に、各第２係止凸部３０に対して対応する係合孔５０の大径孔部５０ａが臨む横方向に偏倚させた状態で両者を相対させる。前記ボトムカバー４０を下面パネル２０に近接する方向へ変位することで、第１係止凸部２６を係合溝４６における鉛直溝部４６ａに開放端側から挿入すると共に、第２係止凸部３０を係合孔５０の大径孔部５０ａに挿入して、フレーム２８の下面にボトムフレーム４８の上面を当接させる。このとき、前記第１係止凸部２６が係合溝４６における鉛直溝部４６ａと水平溝部４６ｂとの連結部分に位置している。次いで、ボトムカバー４０を水平溝部４６ｂの閉塞端に向けて水平にスライド移動させることで、第１係止凸部２６が水平溝部４６ｂの閉塞端でフランジ部４４に係合すると共に、第２係止凸部３０が係合孔５０の小径孔部５０ｂに位置してボトムフレーム４８に係合した状態で、ボトムカバー４０は下面パネル２０に取付けられる。すなわち、各第１係止凸部２６が前記係合溝４６の水平溝部４６ｂに位置すると、該第１係止凸部２６の大径部分と該大径部分に対向する桟材２４との間にフランジ部４４が挟持されると共に、両フランジ部４４,４４が両桟材２４,２４に挟まれて、ボトムカバー４０の前後方向の移動が規制される。また、前記水平溝部４６ｂを貫通する第１係止凸部２６が、該水平溝部４６ｂを画成するフランジ部４４における上下の縁辺によりボトムカバー４０の上下方向の移動が規制される。更に、各第２係止凸部３０が前記係合孔５０の小径孔部５０ｂに位置すると、該第２係止凸部３０の大径部分が小径孔部５０ｂの縁辺に引っ掛かってボトムフレーム４８を保持して、下方への移動が規制されると共に、小径孔部５０ｂを貫通する第２係止凸部３０は、該小径孔部５０ｂを画成するボトムフレーム４８おける端辺により前後方向の移動が規制される。このとき、前記ボトムカバー４０の平板部４２と下面パネル２０における桟材２４の下面とが同一平面上に位置し、両者で吊り戸棚１０の外底面を構成する。
【００２１】
前記ボトムカバー４０を下面パネル２０に取付けるに際しては、下面パネル２０の第１係止凸部２６をボトムカバー４０の係合溝４６に挿入すると共に、下面パネルの第２係止凸部３０をボトムカバー４０の係合孔５０に挿入して、ボトムカバー４０を下面パネルに対してスライドさせるだけなので、ネジ等の固定部材で締着する手間が省かれて良好な組立作業性を有すると共に、特別な治具等を必要としないので製造コストを低減し得る。
【００２２】
そして、前記ボトムカバー４０を配設した下面パネル２０には、各側面パネル１４が、前記凸部１４ａを下面パネル２０における縦補強部材３２の角部３２ａに整合すると共に、該下面パネル２０の各側面に開口したネジ孔１８にサイドフレーム１５ａの下端部に開設したネジ孔１８を整列させたもとで、該サイドフレーム１５ａの外方からネジ１６を螺挿することで固定される。また、前記各サイドフレーム１５ａの上端に上面パネル１２を夫々ネジ１６で固定した後、サイドカバー１５ｂを夫々取付けることで、該サイドカバー１５ｂでネジ１６を側方から覆った状態で側面パネル１４が完成される。
【００２３】
このように、前記ボトムカバー４０の下面パネル２０に対する取付け構造は、下面パネル２０の係止凸部２６,３０に対して係合溝４６および係合孔５０を夫々係合するものであり、ネジやリベット等の固定部材を必要としない構造であって、係止凸部２６,３０、係合溝４６および係合孔５０は両者を嵌め合わせた際に内側となって隠れる面に夫々設けてあるから、吊り戸棚１０の外底面には係合部分が露出しないのは勿論のこと、使用者に相対する前後の面にも係合部分が露出することがない。また下面パネル２０は、側面パネル１４のサイドフレーム１５ａにネジ１６で固定され、このサイドフレーム１５ａは側方からサイドカバー１５ｂで覆われるから、これらのネジ１６が側面に現われることはない。すなわち、前記吊り戸棚１０の外表面は、各パネル１２,１４,１４,２０の組付けのためのネジやリベット等の固定部材や溶接痕等が露出することがないので、化粧面として良好な見栄えを発現し得ると共に、固定部材に起因する凹凸がなく平坦にすることができるので、清掃が容易になって衛生的である。しかも、ボトムカバー４０と下面パネル２０との取付け構造は、接着剤等を使用した化学的なものではなく、係止凸部２６,３０と係合溝４６および係合孔５０との係合を利用した機械的なものであるから、経時的な劣化に起因して剥離や脱離することはなく、取付け構造として信頼性が高く、半永久的に両者の固定状態を維持し得る。
【００２４】
実施例１のボトムカバー４０は、下面パネル２０の下面を覆って意匠性を向上させる化粧面としての機能だけでなく、下面パネル２０の前後方向の拡開を抑制する補強材としても機能する。すなわち、前記下面パネル２０に物品を載置して荷重がかかった際に、該下面パネル２０は前後方向に反って桟材２４,２４が互いに拡開する方向に変位するよう力が作用するが、各桟材２４は第１係止凸部２６とボトムカバー４０の係合溝４６を介しての係合により拡開する力に抗するから、下面パネル２０の撓みを防止すると共に、荷重に対して優れた補強作用を示す。従って、下面パネル２０に載置する物品の許容荷重を増加し得ると共に、他の補強部材を減らすことができるからコストを低減し得る。しかも、前記係止凸部２６,３０と係合溝４６および係合孔５０との係合構造は、その数を増やすことで、下面パネル２０の寸法変化や該下面パネル２０に載置するものの荷重に応じて、その強度を増強し得るから高い汎用性を有する。
【００２５】
前記ボトムカバー４０は、前後の端部を下面パネル２０の各桟材２４に設けた複数の第１係止凸部２６に対して係合溝４６を夫々嵌合して保持するだけでなく、中央部分も該下面パネル２０のフレーム２８に設けた複数の第２係止凸部３０に対して係合孔５０を嵌合して保持させる構成であるから、ボトムカバー４０は大寸法となっても下方に撓むことがなく、該ボトムカバー４０の平板部４２は平坦となり、見栄えを更に向上させることができる。
【００２６】
なお実施例１では、前後の両面にスライド扉Ｄ,Ｄを備えた両開きタイプの吊り戸棚１０について説明したが、前側のみに扉を備えた片開き扉のものであっても、実施例１に係る下面パネル２０とボトムカバー４０との取付け構造を適用し得る。また、扉としては、スライド扉に限定されず、ヒンジを介して開口部Ｓ１に枢支されたスイング扉等、その他の構成を採用し得る。更に実施例１では、下面パネル２０へのボトムカバー４０の取付け構造を、第１係止凸部２６と係合溝４６とを利用した係合構造および第２係止凸部３０と係合孔５０とを利用した係合構造の両方から構成したが、何れか一方のみから構成してもよい。
【実施例２】
【００２７】
図８は、実施例２に係る吊り戸棚を示す概略斜視図である。実施例１では、収納空間Ｓにおける前後の開口部Ｓ１,Ｓ１に夫々スライド扉Ｄ,Ｄを備えた両開きタイプの吊り戸棚１０について説明したが、実施例２の吊り戸棚１１は、上面パネル１２、下面パネル２０、一組の側面パネル１４,１４を箱状に組合わせて収納空間Ｓを画成し、後側を後面パネル５８で塞ぐと共に、前側に開放する開口部Ｓ１をスライド扉Ｄ,Ｄで開閉自在に閉成する片開きタイプを対象にしている。なお、実施例２の吊り戸棚１１の構成部材において、実施例の部材と同一のものは、同一の符号を付して説明を省略する。
【００２８】
実施例２の下面パネル６０は、前端部に沿って下方に延出して実施例１と同様の前側桟材６２が形成され、該前側桟材６２の内側面には、横方向に延在する複数(実施例２では左右の各側縁部と中央部の３箇所)のスリット６４が所要間隔で開設されている(図９参照)。また下面パネル６０の後端部には、下方に沿って延出する後側桟材６６が形成されている。一方、ボトムカバー７０は、前後の端部に、上方に向けて延出する立上がり部７２,７４が夫々折曲形成され、前立上がり部(前側の立上がり部)７２の先端部には、後立上がり部(後側の立上がり部)７４から離間する前方に向けて水平に突出する突出片７２ａが、前記複数のスリット６４の夫々に対応するように形成されている。ここで、前記突出片７２ａは、スリット６４に対して挿入可能で、その幅は前記スリット６４の幅と略同一に設定されている。
【００２９】
そしてボトムカバー７０は、下面パネル６０の各スリット６４に対して突出片７２ａを後方から対応的に挿入すると共に、後立上がり部７４を前記後側桟材６６の後側に整合して、該後側桟材６６と後立上がり部７４の重合部分に適宜開設されたネジ孔１８にネジ(固定部材)１６を共通的に螺挿することで、当該ボトムカバー７０は下面パネル６０の下面を覆った状態で取付けられる(図１０参照)。すなわち、ボトムカバー７０は下面パネル６０に対して、スリット６４への突出片７２ａの差し込み構造により前側が支持され、後側は下面パネル６０の後側桟材６６に後方からネジ１６で固定される。また、下面パネル６０の後側桟材６６およびボトムカバー７０の後立上がり部７４を後側から覆った状態で後面パネル５８がリベット(図示せず)で互いに連結される。なお、下面パネル６０と各側面パネル１４の接合構造は、実施例１と同様である。また、下面パネル６０とボトムカバー７０との間には、発泡スチロール等のクッション材３４が介挿されて、補強が図られている。
【００３０】
実施例２の吊り戸棚１１における下面パネル６０とボトムカバー７０との取付け構造は、実施例１の吊り戸棚１０と同様に、吊り戸棚１１の外底面にネジ等の固定部材や溶接痕が露出しない構造であるので、高い意匠性および組付け容易性等の作用効果を有する。しかも、ボトムカバー７０の後側をネジ１６で固定するので、前側の取付け構造を、下面パネル６０のスリット６４にボトムカバー７０の突出片７２ａを差し込むだけの簡易な構成となし得る。
【図面の簡単な説明】
【００３１】
【図１】本発明の好適な実施例１に係る吊り戸棚を一部切り欠いて示す概略斜視図である。
【図２】実施例１の吊り戸棚の下面パネルを一部切り欠いて示す底面図である。
【図３】図２のＢ−Ｂ断面図である。
【図４】図２のＣ−Ｃ断面図である。
【図５】実施例１のボトムカバーを示すものであって、(ａ)は平面図であり、(ｂ)は(ａ)のＤ矢視図である。
【図６】実施例１の下面パネルとボトムカバーとの組立状況を示す概略斜視図である。
【図７】実施例１の係止凸部を分解して示す概略斜視図である。
【図８】実施例２に係る吊り戸棚を一部切り欠いて後面側から示す概略斜視図である。
【図９】実施例２の下面パネルとボトムカバーとの組立状況を示す概略斜視図である。
【図１０】実施例２の下面パネルとボトムカバーとの組立状況を示す縦断面図である。
【符号の説明】
【００３２】
１２ 上面パネル，１４ 側面パネル，１６ ネジ(固定部材)，２０ 下面パネル
２４ 桟材，２６ 第１係止凸部(係止部)，３０ 第２係止凸部(係止部)
４０ ボトムカバー，４４ フランジ部，４６ 係合溝(被係止部)，４８ ボトムフレーム
５０ 係合孔(被係止部)，５８ 後面パネル，６０ 下面パネル，６２ 前側桟材
６４ スリット，６６ 後側桟材，７０ ボトムカバー
７２ 前立上がり部(前側の立上がり部)，７２ａ 突出片
７４ 後立上がり部(後側の立上がり部)，Ｓ 収納空間，Ｓ１ 開口部
Ｄ スライド扉(扉)
【図１】
2006223381.tif 000003
【図２】
2006223381.tif 000004
【図３】
2006223381.tif 000005
【図４】
2006223381.tif 000006
【図５】
2006223381.tif 000007
【図６】
2006223381.tif 000008
【図７】
2006223381.tif 000009
【図８】
2006223381.tif 000010
【図９】
2006223381.tif 000011
【図１０】
2006223381.tif 000012